【事件の表示】
　特願２００５−３５２１８２「エレクトロルミネッセント装置およびエレクトロルミネッセント画素を駆動する方法」拒絶査定不服審判事件〔平成１９年　４月１２日出願公開、特開２００７−　９４３４４〕について、次のとおり審決する。
【結　論】
　本件審判の請求は、成り立たない。
【理　由】
１　手続の経緯
　平成１７年１２月　６日　特許出願（パリ条約による優先権主張、２００５年９月２６日、米国）
　平成２１年　５月２２日　拒絶理由（同年５月２６日発送）
　平成２１年　８月２６日　意見書・補正書
　平成２１年１１月２０日　拒絶査定（同年１１月２７日送達）
　平成２２年　３月２６日　本件審判請求・手続補正書
　平成２３年　２月　１日　審尋(同年２月２日発送)
　（平成２３年２月１日付け審尋に応答する回答書は提出されなかった。）
　
２　平成２２年３月２６日付け手続補正について
２−１　本件補正の概要
　平成２２年３月２６日付け手続補正（以下「本件補正」という。）は、本件補正前の特許請求の範囲の請求項１〜１６に、
　
「【請求項１】
　各々が光を放出する複数のエレクトロルミネッセント（ＥＬ）画素と、
　各ＥＬ画素に対応させ、対応するＥＬ画素が放出した光の輝度を検出する光検出器と、
　ＥＬ画素の光検出器に動作可能なように接続し、一つのＥＬ画素の検出された輝度に基づいて、少なくとも別の一つのＥＬ画素の輝度を調整する調整装置とを有し、
　各光検出器が、対応するＥＬ画素の検出された輝度に基づいて、調整装置に信号を出力し、
　一つのＥＬ画素の検出された輝度が減少すると、信号が減少し、調整装置が、少なくとも別の一つのＥＬ画素への電流を低減し、
　信号は、トランジスタを介して、調整装置に入り、トランジスタは、検出走査線を介して、クロック信号によって制御されるＥＬ装置。
　　【請求項２】
　信号が、電圧または電流を表す請求項１記載のＥＬ装置。
　　【請求項３】
　調整装置が、一つのグループのＥＬ画素から放出された光の所定の相対輝度を維持し、特定の色の光の所定の組のＣＩＥ色度座標を維持する請求項１記載のＥＬ装置。
　　【請求項４】
　特定の色が、白色光である請求項３記載のＥＬ装置。
　　【請求項５】
　ＥＬ画素が、青色ＥＬ画素、緑色ＥＬ画素および赤色画素を有する請求項１記載のＥＬ装置。
　　【請求項６】
　各ＥＬ画素が、ＯＬＥＤを有する請求項５記載のＥＬ装置。
　　【請求項７】
　光検出器が、フォトダイオードまたはフォト薄膜トランジスタ（ＴＦＴ）を有する請求項１記載のＥＬ装置。
　　【請求項８】
　フォトダイオードが、
　透明基板上に配置した第一導電層と、
　第一導電層上に配置した光電層と、
　第一導電層上に配置したＰ型層と、
　Ｐ型層上に配置した第二導電層を有する請求項７記載のＥＬ装置。
　　【請求項９】
　フォトＴＦＴが、
　透明基板上に配置したチャネル領域と、
　チャネル領域の横の透明基板上に配置したソース／ドレイン領域と、
　チャネル領域上に配置した光電層と、
　光電層上に配置したゲート層を有する請求項７記載のＥＬ装置。
　　【請求項１０】
　発光層の材料が、有機ＥＬ材料または無機ＥＬ材料を有する請求項１記載のＥＬ装置。
　　【請求項１１】
　各ＥＬ画素が、カラーフィルタを有する請求項１記載のＥＬ装置。
　　【請求項１２】
　カラーフィルタが、青色フィルタ、緑色フィルタまたは赤色フィルタを有する請求項１１記載のＥＬ装置。
　　【請求項１３】
　各ＥＬ画素がさらに、黄色発光層と青色発光層を有する請求項１記載のＥＬ装置。
　　【請求項１４】
　ＥＬ装置内の複数のＥＬ画素を駆動する方法であって、
　ＥＬ画素を駆動して光を放出し、
　各ＥＬ画素に対応した光検出器を設け、
　ＥＬ画素の光検出器に動作可能なように接続し、一つのＥＬ画素の検出された輝度に基づいて、少なくとも別の一つのＥＬ画素の輝度を調整する調整装置を設け、
　各光検出器が、対応するＥＬ画素の検出された輝度に基づいて、調整装置に信号を出力し、
　一つのＥＬ画素の検出された輝度が減少すると、信号が減少し、調整装置が、少なくとも別の一つのＥＬ画素への電流を低減し、
　信号は、トランジスタを介して、調整装置に入り、トランジスタは、検出走査線を介して、クロック信号によって制御される方法。
　　【請求項１５】
　調整ステップで、一つのグループのＥＬ画素から放出された光の所定の相対輝度を維持し、特定の色の光のＣＩＥ色度座標の所定の組を維持する請求項１４記載の方法。
　　【請求項１６】
　特定の色が、白色光である請求項１５記載の方法。」
　
とあるものを、
　
「　　　【請求項１】
　各々が光を放出する複数のエレクトロルミネッセント（ＥＬ）画素と、
　各ＥＬ画素に対応させ、対応するＥＬ画素が放出した光の輝度を検出する光検出器と、
　ＥＬ画素の光検出器に動作可能なように接続し、一つのＥＬ画素の検出された輝度に基づいて、少なくとも別の一つのＥＬ画素の輝度を調整する調整装置とを有し、
　
前記調整装置が、一つのグループのＥＬ画素から放出された複数の光の所定の相対輝度を維持し、前記グループのＥＬ画素から放出された前記複数光から成る特定の色の光の所定の組のＣＩＥ色度座標を維持し、
　各光検出器が、対応するＥＬ画素の検出された輝度に基づいて、調整装置に信号を出力し、
　一つのＥＬ画素の検出された輝度が減少すると、信号が減少し、調整装置が、少なくとも別の一つのＥＬ画素への電流を低減し、
　信号は、トランジスタを介して、調整装置に入り、トランジスタは、検出走査線を介して、クロック信号によって制御されるＥＬ装置。
　　【請求項２】
　信号が、電圧または電流を表す請求項１記載のＥＬ装置。
　　【請求項３】
　特定の色が、白色光である請求項
２
　　【請求項４】
　ＥＬ画素が、青色ＥＬ画素、緑色ＥＬ画素および赤色画素を有する請求項１記載のＥＬ装置。
　　【請求項５】
　各ＥＬ画素が、ＯＬＥＤを有する請求項
４
　　【請求項６】
　光検出器が、フォトダイオードまたはフォト薄膜トランジスタ（ＴＦＴ）を有する請求項１記載のＥＬ装置。
　　【請求項７】
　フォトダイオードが、
　透明基板上に配置した第一導電層と、
　第一導電層上に配置した光電層と、
　第一導電層上に配置したＰ型層と、
　Ｐ型層上に配置した第二導電層を有する請求項
６
　　【請求項８】
　フォトＴＦＴが、
　透明基板上に配置したチャネル領域と、
　チャネル領域の横の透明基板上に配置したソース／ドレイン領域と、
　チャネル領域上に配置した光電層と、
　光電層上に配置したゲート層を有する請求項
６
　　【請求項９】
　発光層の材料が、有機ＥＬ材料または無機ＥＬ材料を有する請求項１記載のＥＬ装置。
　　【請求項１０】
　各ＥＬ画素が、カラーフィルタを有する請求項１記載のＥＬ装置。
　　【請求項１１】
　カラーフィルタが、青色フィルタ、緑色フィルタまたは赤色フィルタを有する請求項
１０
　　【請求項１２】
　各ＥＬ画素がさらに、黄色発光層と青色発光層を有する請求項１記載のＥＬ装置。
　　【請求項１３】
　ＥＬ装置内の複数のＥＬ画素を駆動する方法であって、
　ＥＬ画素を駆動して光を放出し、
　各ＥＬ画素に対応した光検出器を設け、
　ＥＬ画素の光検出器に動作可能なように接続し、一つのＥＬ画素の検出された輝度に基づいて、少なくとも別の一つのＥＬ画素の輝度を調整する調整装置を設け、
　
調整ステップで、一つのグループのＥＬ画素から放出された複数の光の所定の相対輝度を維持し、前記グループのＥＬ画素から放出された複数光の特定の色の光のＣＩＥ色度座標の所定の組を維持し、
　各光検出器が、対応するＥＬ画素の検出された輝度に基づいて、調整装置に信号を出力し、
　一つのＥＬ画素の検出された輝度が減少すると、信号が減少し、調整装置が、少なくとも別の一つのＥＬ画素への電流を低減し、
　信号は、トランジスタを介して、調整装置に入り、トランジスタは、検出走査線を介して、クロック信号によって制御される方法。
　　【請求項１４】
　特定の色が、白色光である請求項
１３
　
に補正するものである。
　
２−２　補正の目的・適否
　本件補正は、補正前の請求項１を削除するとともに、本件補正前の請求項３を独立請求項として新たな請求項１にする補正事項（以下「補正事項１」という。）、請求項１の「一つのグループのＥＬ画素から放出され」「所定の相対輝度を維持」する「光」の数が「複数」であること、「特定の色の光」が「一つの」「グループのＥＬ画素から放出された前記複数光から成る」ことを明確にする補正事項（以下「補正事項２」という。）を含むものである。
　上記補正事項１は、請求項の削除を目的とするものであり、補正事項２は、願書に最初に添付した明細書、特許請求の範囲又は図面に記載した事項の範囲内においてするものであって、明瞭でない記載の釈明を目的とするものである。したがって、本件補正のうち請求項１についてする補正は、特許法第１７条の２第３項の規定に適合し、平成１８年法律第５５号改正附則第３条第１項によりなお従前の例によるとされる同法による改正前の特許法（以下「平成１８年改正前特許法」という。）第１７条の２第４項第１号に規定する請求項の削除と、同条第４項第４号に規定する明りようでない記載の釈明を目的とするものに該当するから、平成１８年改正前特許法第１７条の２第４項の規定に適合する。
　よって、本件補正のうち請求項１についてする補正は適法な補正である。
　
３　本願発明
　本願の請求項１に係る発明（以下、「本願発明」という。）は、本件補正後の特許請求の範囲の請求項１に記載された事項により特定されるとおりのものであるところ、請求項１には次のとおり記載されている。
　
「　　【請求項１】
　各々が光を放出する複数のエレクトロルミネッセント（ＥＬ）画素と、
　各ＥＬ画素に対応させ、対応するＥＬ画素が放出した光の輝度を検出する光検出器と、
　ＥＬ画素の光検出器に動作可能なように接続し、一つのＥＬ画素の検出された輝度に基づいて、少なくとも別の一つのＥＬ画素の輝度を調整する調整装置とを有し、
　前記調整装置が、一つのグループのＥＬ画素から放出された複数の光の所定の相対輝度を維持し、前記グループのＥＬ画素から放出された前記複数光から成る特定の色の光の所定の組のＣＩＥ色度座標を維持し、　
　各光検出器が、対応するＥＬ画素の検出された輝度に基づいて、調整装置に信号を出力し、
　一つのＥＬ画素の検出された輝度が減少すると、信号が減少し、調整装置が、少なくとも別の一つのＥＬ画素への電流を低減し、
　信号は、トランジスタを介して、調整装置に入り、トランジスタは、検出走査線を介して、クロック信号によって制御されるＥＬ装置。」
　
４　引用する刊行物に記載された発明
４−１　刊行物とその記載事項
　原査定の拒絶理由に引用され、本願の優先日前の平成１４年９月１３日に日本国内において頒布された特開２００２−２６０８５１号公報（以下「刊行物」という。）には、図面とともに以下の事項が記載されている。
　
ア　　特許請求の範囲の記載
「【特許請求の範囲】
【請求項１】　発光素子と、この発光素子から発せられる光強度を検出するための光センサとを有する発光体であって、前記発光素子は、基板上に、下電極、少なくとも発光層を含む発光材料層および透光性を有する上電極を順次有し、下電極と上電極はどちらか一方が陰極で他方が陽極であり、前記光センサが前記発光素子上に形成されていることを特徴とする発光体。
…
【請求項７】　前記光センサが、p型半導体からなる領域とn型半導体からなる領域とから形成されるpn接合を有することを特徴とする請求項１〜６のいずれかに記載の発光体。
【請求項８】　前記光センサが、p型半導体からなる領域と、n型半導体からなる領域と、この２つの領域に挟まれた真性半導体からなる領域とから形成されるpin構造を有することを特徴とする請求項１〜６のいずれかに記載の発光体。
【請求項９】　請求項１〜８のいずれかに記載の発光体を含み、前記発光体の有する光センサは、光強度を検出した結果を電流信号として出力し、その光センサに対して、受光した光量に比例する電流信号の生成を可能とするバイアス電圧を印加するか否かの切り替えを行う光センサスイッチング素子を、前記光センサのバイアス電圧印加用配線経路内に含み、前記光センサスイッチング素子の切り替え動作をコントロールする光センサスイッチングユニットを含み、前記光センサスイッチング素子は、光センサスイッチング配線により前記光センサスイッチングユニットと接続されている構成を有することを特徴とする発光システム。
…
【請求項１２】  前記発光素子に接続され、この発光素子が光を発する際に使用する電流を前記発光素子に供給するための電流印加素子を含むことを特徴とする請求項９〜１１のいずれかに記載の発光システム。
…
【請求項１４】  前記電流印加素子に接続され、その電流印加素子から前記発光素子へ電流を供給するか否かを切り替える電流印加スイッチング素子を含むことを特徴とする請求項１２または１３に記載の発光システム。
…
【請求項１６】  前記光度検出ユニットにより検出される前記発光素子の発する光の光度情報をもとに、その発光素子に供給する電流の最適な電流値を求め、前記電流印加素子がその発光素子に供給する電流値を前記最適な電流値に調整する発光量調整ユニットを含むことを特徴とする請求項１２〜１５のいずれかに記載の発光システム。
【請求項１７】  複数の発光体を含み、前記発光体への電流印加素子からの電流供給の切り替えを行う電流印加スイッチング素子の切り替え動作を制御する電流印加スイッチングユニットを含み、前記スイッチング配線は、縦横にメッシュ状に配置されており、前記電流印加スイッチング素子は、１本の縦方向のスイッチング配線と１本の横方向のスイッチング配線とに接続されており、前記縦方向、横方向のスイッチング配線は前記電流印加スイッチングユニットに接続されており、特定の縦方向のスイッチング配線と特定の横方向のスイッチング配線とを選択して電圧を印加することにより、その両者と接続される特定の電流印加スイッチング素子と接続された特定の電流印加素子からの電流供給の切り替えを行い、この特定の電流印加素子と接続される特定の発光素子に電流供給を行う機構を有することを特徴とする請求項１４〜１６のいずれかに記載の発光システム。
【請求項１８】  前記光度検出ユニットにより検出される前記発光素子の発する光の光度情報をもとに、その発光素子に電流を供給する最適な時間を求め、前記電流印加スイッチングユニットを介して、前記電流印加スイッチング素子の切り替え動作を制御し、前記電流印加素子がその発光素子に電流を供給する時間を前記最適な時間に調整する発光時間調整ユニットを含むことを特徴とする請求項１７に記載の発光システム。
【請求項１９】　請求項７または８に記載の発光体を含み、前記光センサスイッチング素子は、少なくとも１個のＦＥＴトランジスタを含み、前記光センサスイッチング素子に含まれるＦＥＴトランジスタの一つは、そのドレイン部が前記光センサのn型半導体部と接続され、前記光センサスイッチング素子の切り替え動作は、そのドレイン部が前記光センサのn型半導体部と接続されているＦＥＴトランジスタのＯＮ−ＯＦＦ動作によりなされていることを特徴とする請求項９〜１８のいずれかに記載の発光システム。」
　
イ　発明の属する技術分野の記載
「【０００１】【発明の属する技術分野】本発明は、発光体およびそれを適用した発光システムに関する。」
　
ウ　発明が解決しようとする課題の記載
「【００１７】【発明が解決しようとする課題】本発明の目的は、発光輝度むらと色バランスの崩れが十分に抑制され、しかも、発光素子から発せられる光を効率よく光センサに導くことができるので素子の発光の強さを感度よく検出でき、また、発光素子と光センサとが悪影響を及ぼし合うことが少ない発光体、および、この発光体を適用した発光システムを提供することである。」
　
エ　発明実施の形態の記載
「【００１９】
【発明実施の形態】本発明の発光体は、発光素子上に、この発光素子から発せられる光強度を検出するための光センサを有するものである。発光素子は、基板上に、下電極、その上に少なくとも発光層を含む発光材料層、その上に透光性を有する上電極を有する構造をしている。下電極と上電極はどちらか一方が陰極で他方が陽極であり、いずれが陰極であっても陽極であってもよいが、通常、下電極を陰極、上電極を陽極とする。
【００２０】発光素子は、電流により光を発する機構を有するものであり、陽・陰二種の電極である下電極と上電極とで電圧を印加して少なくとも発光層を含む発光材料層に電流を供し、この電流により発光層において光が発せられる。
【００２１】光センサは、この発光素子の発する光の一部を受光し、受光した光量に比例する電流信号を生成する。光センサは、発光素子の発する光のうち、上電極の位置する向き、つまり、基板の反対側に放射される光の一部を受光するため、発光素子上に配置されている。光センサは上電極を通して発光層の発する光を受光するので、上電極は発光層の発する光を透過するものでなければならない。
【００２２】光センサとしては、p型半導体からなる領域とn型半導体からなる領域とから構成されるpn接合を有し、このpn接合により受光した光量に比例する電流信号の生成を行う機構を有するもの、または、p型半導体からなる領域とn型半導体からなる領域とこの２つの領域に挟まれた真性半導体からなる領域とから構成されるpin構造を有し、このpin構造により受光した光量に比例する電流信号の生成を行う機構を有するものが挙げられる。
【００２３】本発明の発光体は、光センサで発光素子から発せられる光強度を検出し、検出された光度情報をもとに各素子の発光量(発光素子に流す電流値)および／または発光時間を最適化することで、発光輝度むらと色バランスの崩れを十分に抑制する。しかも、光センサを発光素子の上に形成しているので、発光素子から発せられる光を効率よく光センサに導くことができ、素子の発光の強さを感度よく検出できる。また、発光素子と光センサとが悪影響を及ぼし合うことが少ない。発光素子として有機ＥＬ素子を用いた場合、特に顕著な本発明の効果が得られる。
【００２４】以下、本発明を図を用いて説明する。
【００２５】図１は、本発明の発光体を含む発光システムの構成図である。
【００２６】本構造では、基板10上に下電極13が形成され、その上には発光材料層12、さらにその上には上電極11が形成され、発光素子4を形成している。そして、発光素子4の上には、光センサ1が設けられている。
【００２７】発光素子4の近傍には、発光素子4に駆動電流を印加し、発光させるための電流印加素子3が形成されており、発光素子4に接続されている。電流印加素子3近傍には、電流印加素子3が発光素子4に電流を流すかどうかを切り替える電流印加スイッチング素子2が形成されており、電流印加素子４に接続されている。
【００２８】発光素子4は図の上向きに発光し、その光の一部は光センサ1に入射する。
【００２９】光センサ1は、光センサ1から電流もしくは電圧としてもたらされる光度情報を検出するかどうかを切り替えるための光センサスイッチング素子15に接続されている。光センサスイッチング素子15が光度情報を検出するかどうかの切り替えは、光センサスイッチング素子15に接続されている光センサスイッチングユニット9により制御されている。光センサスイッチング素子15は光度検出ユニット7に接続されており、光度検出ユニット7は光センサ1から送られてきた光度情報を検出する。光度情報は、光度および発光時間である。
【００３０】次に、検出された光度情報は発光量調整ユニット兼発光時間調整ユニット6に送られ、ここで最適な発光量を与える条件が計算される。最適な条件は、最初に設定されたある値に最も近くなるように設定される。具体的には、初期条件による発光表示装置の見え方(色バランスおよび輝度バランス)に可能な限り近くなるように、各素子の発光量(発光素子に流す電流値)や発光時間を最適化する。さらに、発光時間調整ユニット6は、求められた最適な発光時間により、電流印加スイッチングユニット8を通して電流印加スイッチング素子2を駆動し、電流印加素子3により発光素子4に電流を流す。発光素子4に流す電流値は、発光量調整ユニット6により、電流印加素子3に指示される。このようにして、新たな条件で発光した発光素子の光度情報は再び光センサ1により検出され、次の発光量、発光時間にフィードバックされる。
【００３１】図１に単体を示した素子は、例えば図２に上面図を示すような配列にして発光表示装置を形成する。ここでは、素子配列が3行6列の場合を示したが、配列数は適宜選択することができる。
…
【００３９】図５は、発光表示装置における、光センサ1、発光素子196、第一スイッチング配線187、第二スイッチング配線188、光センサスイッチング第一配線206a、および、光センサスイッチング第二配線206bの配置図である。ここでは、電流印加配線およびグランド配線は省略してある。
【００４０】第一スイッチング配線187、第二スイッチング配線188および光センサスイッチング配線206は図のように配置されており、第一スイッチング配線187および第二スイッチング配線188には発光素子196が、光センサスイッチング第一配線206a、第二配線206bには光センサ1がそれぞれ接続されている。この構造では、電位を印加する第一スイッチング配線187と第二スイッチング配線188の組み合わせを選択することにより、任意の発光素子196を発光させることができる。また、電位を印加する光センサスイッチング第一配線206aおよび第二配線206bの組み合わせを選択することにより、任意の光センサの検出する光度に対応する電流を測定することができる。」
　
オ　実施例についての記載
「【０１１３】各素子に内蔵された光センサにより素子の輝度を測定し、…。」
　
カ　図面から看取できる事項
　図２には、発光体の配置例を表す平面図が描かれている。図２から、光センサ１、電流印加スイッチング素子、電流印加素子３、発光素子４で構成される単体が、３行６列に配列されていることが看取できる。
　
４−２　刊行物の記載事項の検討
　以下、刊行物に記載された事項を検討する。なお。引用中に付した下線は、特に関連する箇所に当審が付した下線である。
（１）刊行物には、「【００２５】
図１は、本発明の発光体を含む
本発明の発光体は、発光素子上に
光センサを有する
発光素子として有機ＥＬ素子を用いた場合
図１に単体を示した素子は、例えば図２に上面図を示すような配列にして発光表示装置を形成する
　上記記載より、発光素子として有機ＥＬを用いることが記載されているから、「有機ＥＬ素子」は、光を放出する素子である。また、「発光体は、発光素子上に…光センサを有」し、「例えば図２に上面図を示すような
配列にして発光表示装置
　してみると、刊行物には、各々が光を放出し、表示する画像の最小単位として機能する複数の有機ＥＬ素子が開示されている。
　
（２）刊行物には、「【００１９】【発明実施の形態】本発明の発光体は、
発光素子上に、この発光素子から発せられる光強度を検出するための光センサを有する
　また、「【００２１】光センサは、
この発光素子の発する光の一部を受光し、受光した光量に比例する電流信号を生成する
光センサにより素子の輝度を測定
　してみると、刊行物には、「複数の有機ＥＬ素子の各有機ＥＬ素子上に有する光センサであって、前記有機ＥＬ素子が発する光の一部を受光し、受光した光量に比例する電流信号を生成することで、有機ＥＬ素子の輝度を測定する光センサ」が開示されている。
　
（３）　刊行物には、「【００２９】
光センサ1は
光センサスイッチング素子15に接続されている
光センサスイッチングユニット9により制御されている。光センサスイッチング素子15は光度検出ユニット7に接続され
　上記記載より、光センサは、光センサスイッチング素子に接続されること、光センサスイッチング素子は、光センサスイッチングユニットにより制御されること、光センサスイッチング素子は光度検出ユニットに接続されること、光センサスイッチング素子は、光センサ1から電流もしくは電圧としてもたらされる光度情報を光度検出ユニットに出力することが読み取れる。ここで、上記（２）で検討したとおり、光センサは受光した光量に比例する電流信号を生成するから、「光センサ1から電流もしくは電圧としてもたらされる光度情報」は、光センサが受光した光量に比例して生成する電流信号としてもたらされる光度情報である。してみると、上記記載から光センサと光度検出ユニットに接続される光センサスイッチング素子であって、光センサスイッチングユニットにより制御され、前記光センサが受光した光量に比例して生成する電流信号としてもたらされる光度情報を、前記光度検出ユニットに出力する光センサスイッチング素子が読み取れる。
　さらに、刊行物には、特許請求の範囲に「【請求項１９】請求項７または８に記載の発光体を含み、前記光センサスイッチング素子は、少なくとも１個のＦＥＴトランジスタを含み…」との記載があること、発明実施の形態における「【００３６】…、光センサスイッチング第二トランジスタ208bのソース193dとゲート194dの間が通電可能になる。この時に、光センサ209が光を検出し、電流を発生できる状態になっていると、電流検出端子210とグランド190との間を電流が流れ、電流検出端子210とグランド190との間に設けられた電流検出回路(ここでは図示せず)により電流が検出される。」との記載より、光センサスイッチング素子である光センサスイッチング第二トランジスタは、トランジスタであることから、光センサスイッチング素子は、トランジスタである。
　してみると、刊行物には、光センサと光度検出ユニットに接続されるトランジスタであって、光センサスイッチングユニットにより制御され、前記光センサが受光した光量に比例して生成する電流信号としてもたらされる光度情報を、前記光度検出ユニットに出力するトランジスタが開示されている。
　
（４）刊行物には、「【００２９】…、
光度検出ユニット7は光センサ1から送られてきた光度情報を検出する
　
（５）　刊行物には、特許請求の範囲に、「【請求項１６】　前記光度検出ユニットにより検出される前記発光素子の発する光の光度情報をもとに、その発光素子に供給する電流の最適な電流値を求め、前記電流印加素子がその発光素子に供給する電流値を前記最適な電流値に調整する
発光量調整ユニット
発光時間調整ユニット
各素子の発光量(発光素子に流す電流値)および／または発光時間を最適化する
　次に、刊行物には、「【００３０】次に、検出された
光度情報は発光量調整ユニット兼発光時間調整ユニット6に送られ
初期条件による発光表示装置の見え方(色バランスおよび輝度バランス)に可能な限り近くなるように、各素子の発光量(発光素子に流す電流値)や発光時間を最適化する
　そして、上記（１）で検討したとおり、発光素子として有機ＥＬを用いていること、上記（４）で検討したとおり、光度検出ユニットが光度情報を検出することを併せると、刊行物には、「光度検出ユニットが検出した光度情報を入力し、初期条件による発光表示装置の見え方(色バランスおよび輝度バランス)に可能な限り近くなるように、各有機ＥＬ素子に流す電流値を最適化する発光量調整ユニット」が開示されている。
　
（６）　「【００３１】
図１に単体を示した素子は、例えば図２に上面図を示すような配列にして発光表示装置を形成する
　また、上記（４）で検討した光度検出ユニット、上記（５）で検討した発光量調整ユニットは、光センサと何れも発光表示装置の制御に使用するユニットであるから、発光表示装置は、「光度検出ユニット」と「発光量調整ユニット」を有する。さらに、上記（３）で検討したトランジスタは、発光表示装置が有する「光センサ」と「光度検出ユニット」を接続するトランジスタであるから、発光表示装置に含まれる。
　してみると、刊行物には、発光表示装置が、有機ＥＬ素子、光センサ、トランジスタ、光度検出ユニット、発光量調整ユニットを有することが開示されている。
　
４−３　引用発明
　以上のことから、刊行物には、以下の発明が記載されている。
「各々が光を放出し、表示する画像の最小単位として機能する複数の有機ＥＬ素子と、
　前記複数の有機ＥＬ素子の各有機ＥＬ素子上に有する光センサであって、前記有機ＥＬ素子が発する光の一部を受光し、受光した光量に比例する電流信号を生成することで、有機ＥＬ素子の輝度を測定する光センサと、
　前記光センサと光度検出ユニットに接続されるトランジスタであって、光センサスイッチングユニットにより制御され、前記光センサが受光した光量に比例して生成する電流信号としてもたらされる光度情報を、前記光度検出ユニットに出力するトランジスタと、
　前記有機ＥＬ素子に対応する光センサが受光した光量に比例して生成する電流信号としてもたらされる光度情報を検出する光度検出ユニットと、
　前記光度検出ユニットが検出した光度情報を入力し、初期条件による発光表示装置の見え方(色バランスおよび輝度バランス)に可能な限り近くなるように、各有機ＥＬ素子に流す電流値を最適化する発光量調整ユニットを有する、
　発光表示装置。」（以下「引用発明」という。）
　
５　対比
（１）　本願発明の「各々が光を放出する複数のエレクトロルミネッセント（ＥＬ）画素」と、引用発明の「各々が光を放出し、表示する画像の最小単位として機能する複数の有機ＥＬ素子」を比較する。
　引用発明の「表示する画像の最小単位として機能」する「有機ＥＬ素子」は、本願発明の「エレクトロルミネッセント（ＥＬ）画素」に相当する。してみると、引用発明の「各々が画素として機能し、各々が光を放出する複数の有機ＥＬ素子」は、本願発明の「各々が光を放出する複数のエレクトロルミネッセント（ＥＬ）画素」に相当する。
　
（２）　本願発明の「各ＥＬ画素に対応させ、対応するＥＬ画素が放出した光の輝度を検出する光検出器」と、引用発明の「前記複数の有機ＥＬ素子の各有機ＥＬ素子上に有する光センサであって、前記有機ＥＬ素子が発する光の一部を受光し、受光した光量に比例する電流信号を生成することで、有機ＥＬ素子の輝度を測定する光センサ」を比較する。
（２−１）　本願発明は、「…ＥＬ画素が放出した光の輝度を検出する光検出器」との発明特定事項を有しているところ、「…ＥＬ画素の輝度を調整する調整装置」との発明特定事項も有しており、「輝度」は、「光」が有する特性なのか、あるいは「ＥＬ画素」が有する特性なのか不明瞭であるので、はじめに、本願発明の「…ＥＬ画素が放出した光の輝度を検出する光検出器」について検討する。
　一般に、「輝度」は、「測定点を含む表面の無限小の部分のある方向の光度を、この方向に垂直な平面上に上記の部分を正射影したときの面積で割ったもの。」（マグローヒル　科学技術用語大辞典　改訂第３版　日刊工業新聞社　２００１年５月３１日　３７７頁）を意味する。そうすると、「輝度」の意味を上記した一般の意味に解すると、「ＥＬ画素の輝度」は技術的に意味を理解しうるものの、「ＥＬ画素が放出した光の輝度」は「測定点を含む表面」を想定することが出来ないから、その意味するところが不明瞭である。
　ところで、「光検出器」はフォトダイオード、フォト薄膜トランジスタを有することが、本願の発明の詳細な説明に例示（本願明細書の発明の詳細な説明の段落【００２７】参照）されているところ、フォトダイオードは、「逆方向電流が、照射する光の強さにより変化する半導体ダイオード。」であり、フォトトランジスタは、「…。コレクター電流は、トランジスタ構造により生ずる光注入ベース電流の増幅の結果、光強度とともに増加する。」（何れも、マグローヒル　科学技術用語大辞典　改訂第３版　日刊工業新聞社　２００１年５月３１日　３７７頁）から、光検出器は、光の強さを検出する機能を有するものと解される。
　そうすると、本願発明の「…ＥＬ画素が放出した光の輝度を検出する光検出器」との発明特定事項は、「…ＥＬ画素が放出した光の」強さを検出することにより、ＥＬ画素の「輝度を検出する光検出器」を意味するものと解される。そこで、本願発明の「…ＥＬ画素が放出した光の輝度を検出する光検出器」との発明特定事項は、「…ＥＬ画素が放出した光の強さを検出することにより、ＥＬ画素の輝度を検出する光検出器」を意味するものと解して検討する。
（２−２）　本願発明において「各ＥＬ画素に対応させ、対応するＥＬ画素が…」とある「ＥＬ画素」は、上記（１）で検討した本願発明の「エレクトロルミネッセント（ＥＬ）画素」であるところ、上記（１）で検討したとおり、引用発明の「有機ＥＬ素子」は本願発明の「エレクトロルミネッセント（ＥＬ）画素」に相当するから、引用発明の「有機ＥＬ素子」は、本願発明の「ＥＬ画素」に相当する。そうすると、引用発明において「複数の有機ＥＬ素子の各有機ＥＬ素子上に有する」ことは、本願発明の「各ＥＬ画素に対応」することに相当する。
　また、引用発明の「光センサ」が、「有機ＥＬ素子が発する光の一部を受光し、受光した光量に比例する電流信号を生成することで、有機ＥＬ素子の輝度を測定する」ことは、本願発明が意味する「ＥＬ画素が放出した光の強さを検出することにより、ＥＬ画素の輝度を検出する」ことに相当する。
　そして、引用発明の「光センサ」が本願発明の「光検出器」に相当することから、引用発明の「前記複数の有機ＥＬ素子の各有機ＥＬ素子上に有する光センサであって、前記有機ＥＬ素子が発する光の一部を受光し、受光した光量に比例する電流信号を生成することで、有機ＥＬ素子の輝度を測定する光センサ」は、本願発明の「各ＥＬ画素に対応させ、対応するＥＬ画素が放出した光の輝度を検出する光検出器」が意味する「各ＥＬ画素に対応させ、対応するＥＬ画素が放出した光の強さを検出することにより、ＥＬ画素の輝度を検出する光検出器」に相当する。
　
（３）　本願発明の「ＥＬ画素の光検出器に動作可能なように接続し、一つのＥＬ画素の検出された輝度に基づいて、少なくとも別の一つのＥＬ画素の輝度を調整する調整装置」であって、「前記調整装置が、一つのグループのＥＬ画素から放出された複数の光の所定の相対輝度を維持し、前記グループのＥＬ画素から放出された前記複数光から成る特定の色の光の所定の組のＣＩＥ色度座標を維持」することと、引用発明の「前記有機ＥＬ素子に対応する光センサが受光した光量に比例して生成する電流信号としてもたらされる光度情報を検出する光度検出ユニット」と「前記光度検出ユニットが検出した光度情報を入力し、初期条件による発光表示装置の見え方(色バランスおよび輝度バランス)に可能な限り近くなるように、各有機ＥＬ素子に流す電流値を最適化する発光量調整ユニット」を一体として比較する。
（３−１）　本願発明の「ＥＬ画素の光検出器に動作可能なように接続」することと引用発明の「前記有機ＥＬ素子に対応する光センサが受光した光量に比例して生成する電流信号としてもたらされる光度情報を検出する」ことを比較する。
　はじめに、本願発明の「ＥＬ画素の光検出器」の意味を検討する。本願発明は、上記（２）で検討した「各ＥＬ画素に対応させ、対応するＥＬ画素が放出した光の輝度を検出する光検出器」との発明特定事項を有しているところ、本願発明の「ＥＬ画素の光検出器」は、「ＥＬ画素に対応する光検出器」を意味するものと解される。
　次に、本願発明の「調整装置」を「光検出器に動作可能なように接続」することの技術的意味を検討する。発明の詳細な説明を参酌すると、発明の詳細な説明には、「【００１９】　図４は、この発明の一実施例による白色光ＥＬ部材の画素の回路図である。…【００２０】…。光検出器３２２ａは、ＥＬ画素（３０４ａ−３１２ａ）から放出された光３２６ａの輝度を検出し、その輝度を信号ＥＳａに変換するために導入でき、前記信号ＥＳａは電圧信号または電流信号であってもよく、信号ＥＳａの振幅は輝度に比例する。図４および図３Ａに示したような調整機構については、発光層３０８ａから放出された光信号３２６ａは光検出器３２２ａで検出され、信号ＥＳａを生成する。例えば、信号ＥＳａは、トランジスタ４１４を介して、経路４４０で示されているように、調整装置３２４に入る。」との記載がある。該記載から、調整装置３２４は、光検出器３２２ａが生成した信号ＥＳａをトランジスタ４１４を介して受け取ることが読み取れる。してみると、本願発明の「調整装置」を「光検出器に動作可能なように接続」することは、「調整装置」を「光検出器が生成した信号を受け取るように接続」することを意味するものと解される。
　そこで、本願発明の「ＥＬ画素の光検出器に動作可能なように接続」することと、引用発明の「前記有機ＥＬ素子に対応する光センサが受光した光量に比例して生成する電流信号である光度情報を検出する」ことを比較する。
　本願発明の「ＥＬ画素の光検出器」は、上記検討したとおり、「ＥＬ画素に対応する光検出器」を意味するものと解されるところ、上記（１）、（２）で検討したとおり、引用発明の「有機ＥＬ素子」、「光センサ」は、それぞれ、本願発明の「ＥＬ画素」、「光検出器」に相当するから、引用発明の「有機ＥＬ素子に対応する光センサ」は、本願発明の「ＥＬ画素の光検出器」に相当する。
　そして、本願発明の「光検出器に動作可能なように接続」することは、上記検討したとおり、「調整装置」を「光検出器が生成した信号を受け取るように接続」することを意味するところ、引用発明の「光度情報検出ユニット」は「光センサが受光した光量に比例して生成する電流信号としてもたらされる光度情報を検出」しており、光センサが生成した電流信号としてもたらされる光度情報を受け取るように接続されていると言える。
　してみると、「前記有機ＥＬ素子に対応する光センサが受光した光量に比例して生成する電流信号である光度情報を検出する」ことは、本願発明の「ＥＬ画素の光検出器に動作可能なように接続」することに相当する。
（３−２）　本願発明の「…一つのＥＬ画素の検出された輝度に基づいて、少なくとも別の一つのＥＬ画素の輝度を調整する…」ことと、引用発明の「前記有機ＥＬ素子に対応する光センサが受光した光量に比例して生成する電流信号としてもたらされる光度情報を検出する光度検出ユニットと、前記光度検出ユニットが検出した光度情報を入力し、…、各有機ＥＬ素子に流す電流値を最適化する…」ことを比較する。
　上記（２）で検討した引用発明の特定事項より、引用発明の「光センサ」は、「前記有機ＥＬ素子が発する光の一部を受光し、受光した光量に比例する電流信号を生成することで、有機ＥＬ素子の輝度を測定」しているから、光センサが有機ＥＬ素子が発する光の一部を受光し、受光した光量に比例して生成する電流信号は、前記有機ＥＬ素子の輝度に関する信号である。そうすると、引用発明において、「前記有機ＥＬ素子に対応する光センサが受光した光量に比例して生成する電流信号としてもたらされる光度情報」を「入力」することは、有機ＥＬ素子の輝度に関する信号を入力することである。
　また、有機ＥＬ素子が流れる電流値に応じて輝度の変わる素子であることは技術常識であるから、引用発明における「有機ＥＬ素子に流す電流値を最適化する」ことは、本願発明における「ＥＬ画素の輝度を調整する」ことに相当する。
　してみると、本願発明の「…一つのＥＬ画素の検出された輝度に基づいて、少なくとも別の一つのＥＬ画素の輝度を調整する…」ことと、引用発明の「前記有機ＥＬ素子に対応する光センサが受光した光量に比例して生成する電流信号としてもたらされる光度情報を検出する光度検出ユニットと、前記光度検出ユニットが検出した光度情報を入力し、…、各有機ＥＬ素子に流す電流値を最適化する…」ことは、「…一つのＥＬ画素の検出された輝度に基づいて、ＥＬ画素の輝度を調整する…」点で一致する。
（３−３）　本願発明の「一つのグループのＥＬ画素から放出された複数の光の所定の相対輝度を維持し、前記グループのＥＬ画素から放出された前記複数光から成る特定の色の光の所定の組のＣＩＥ色度座標を維持」することと、引用発明の「初期条件による発光表示装置の見え方(色バランスおよび輝度バランス)に可能な限り近くなるように」することを比較する。　はじめに、本願発明における、「一つのグループのＥＬ画素から放出された複数の光の所定の相対輝度を維持」すること、「前記グループのＥＬ画素から放出された前記複数光から成る特定の色の光の所定の組のＣＩＥ色度座標を維持」することの技術的意義を、発明の詳細な説明の記載を参酌して検討する。
　本願の発明の詳細な説明には、以下の記載がある。（当審注：下線は当審が付加した。）
　「【背景技術】…【０００４】…当初、各色の光の濃淡度は、「濃淡度１」のラインに沿って設定されている。従って、
青、緑、赤色の光および合成された白色光
青、緑、赤色の光の輝度の比率
白色光のＣＩＥ値も時間と共に変化
白色光の色ズレ
　上記記載より、青、緑、赤色の光を合成した白色光は、青、緑、赤色の光の輝度の比率が変化すると白色光の色ずれが生じることが、また、白色光のＣＩＥ値が変化すると白色光の色ずれが生じることが理解できる。そうすると、「一つのグループのＥＬ画素から放出された複数の光の所定の相対輝度を維持」することと、「前記グループのＥＬ画素から放出された前記複数光から成る特定の色の光の所定の組のＣＩＥ色度座標を維持」することは、何れも「特定の色の光」が色ずれしないようにする技術的意義を有するものと解される。
　一方、引用発明において、「初期条件による発光表示装置の見え方(色バランスおよび輝度バランス)に可能な限り近くなるように」することは、初期条件による色バランスおよび輝度バランスを維持することであるから、色ずれしないように維持することである。
　してみると、引用発明において「初期条件による発光表示装置の見え方(色バランスおよび輝度バランス)に可能な限り近くなるように」していることは、本願発明において、「一つのグループのＥＬ画素から放出された複数の光の所定の相対輝度を維持し、前記グループのＥＬ画素から放出された前記複数光から成る特定の色の光の所定の組のＣＩＥ色度座標を維持」することに相当する。
（３−４）　本願発明の「…する調整装置」と引用発明の「…する光度検出ユニットと、…する発光量調整ユニット」を比較する。
　本願発明の「調整装置」が有する機能、接続と、引用発明の「光度検出ユニット」と「発光量調整ユニット」が有する機能、接続は、上記（３−１）〜（３−３）で検討したとおりの関係にある。そして、引用発明における「光度検出ユニット」と「発光量調整ユニット」は、「光度検出ユニットが検出した光度情報」を「発光量調整ユニット」が入力する関係にあり、引用発明における「光度検出ユニット」と「発光量調整ユニット」は、一体のもの見ることができるから、引用発明の「光度検出ユニット」と「発光量調整ユニット」を一体としたものは、本願発明の「調整装置」に相当する。
（３−５）　以上のことから、、本願発明の「ＥＬ画素の光検出器に動作可能なように接続し、一つのＥＬ画素の検出された輝度に基づいて、少なくとも別の一つのＥＬ画素の輝度を調整する調整装置」であって、「前記調整装置が、一つのグループのＥＬ画素から放出された複数の光の所定の相対輝度を維持し、前記グループのＥＬ画素から放出された前記複数光から成る特定の色の光の所定の組のＣＩＥ色度座標を維持」することと、引用発明の「前記有機ＥＬ素子に対応する光センサが受光した光量に比例して生成する電流信号としてもたらされる光度情報を検出する光度検出ユニット」と「前記光度検出ユニットが検出した光度情報を入力し、初期条件による発光表示装置の見え方(色バランスおよび輝度バランス)に可能な限り近くなるように、各有機ＥＬ素子に流す電流値を最適化する発光量調整ユニット」を一体としたものは、「ＥＬ画素の光検出器に動作可能なように接続し、一つのＥＬ画素の検出された輝度に基づいて、ＥＬ画素の輝度を調整する調整装置」であって、「前記調整装置が、一つのグループのＥＬ画素から放出された複数の光の所定の相対輝度を維持し、前記グループのＥＬ画素から放出された前記複数光から成る特定の色の光の所定の組のＣＩＥ色度座標を維持」する点で一致する。
　
（４）　本願発明の「各光検出器が、対応するＥＬ画素の検出された輝度に基づいて、調整装置に信号を出力」することと、引用発明の「光センサ」が「前記有機ＥＬ素子が発する光の一部を受光し、受光した光量に比例する電流信号を生成することで、有機ＥＬ素子の輝度を測定」し、「トランジスタ」が「前記光センサと光度検出ユニットに接続されるトランジスタであって、」「前記光センサが受光した光量に比例して生成する電流信号としてもたらされる光度情報を、前記光度検出ユニットに出力する」ことを比較する。
　引用発明の「光センサ」は「前記有機ＥＬ素子が発する光の一部を受光し、受光した光量に比例する電流信号を生成することで、有機ＥＬ素子の輝度を測定」しているから、「前記光センサと光度検出ユニットに接続されるトランジスタ」が、「前記光センサが受光した光量に比例して生成する電流信号としてもたらされる光度情報を、前記光度検出ユニットに出力する」ことは、有機ＥＬ素子の測定された輝度に関する信号を光度検出ユニットに出力することである。
　そして、引用発明の「有機ＥＬ素子」、「光センサ」は、それぞれ、本願発明の「ＥＬ画素」、「光検出器」に相当し、上記（３−４）で検討したとおり、引用発明の「光度検出ユニット」と「発光量調整ユニット」を一体としたものは、本願発明の「調整装置」に相当するから、引用発明の「光センサ」が「前記有機ＥＬ素子が発する光の一部を受光し、受光した光量に比例する電流信号を生成することで、有機ＥＬ素子の輝度を測定」し、「トランジスタ」が「前記光センサと光度検出ユニットに接続されるトランジスタであって、」「前記光センサが受光した光量に比例して生成する電流信号としてもたらされる光度情報を、前記光度検出ユニットに出力する」ことは、本願発明の「各光検出器が、対応するＥＬ画素の検出された輝度に基づいて、調整装置に信号を出力」することに相当する。
　
（５）　本願発明の「一つのＥＬ画素の検出された輝度が減少すると、信号が減少し、調整装置が、少なくとも別の一つのＥＬ画素への電流を低減」することと、引用発明の「光センサ」が「前記有機ＥＬ素子が発する光の一部を受光し、受光した光量に比例する電流信号を生成することで有機ＥＬ素子の輝度を測定」すること、「光度検出ユニット」が「前記有機ＥＬ素子に対応する光センサが受光した光量に比例して生成する電流信号としてもたらされる光度情報を検出する」こと、「発光量調整ユニット」が「前記光度検出ユニットが検出した光度情報を入力し、初期条件による発光表示装置の見え方(色バランスおよび輝度バランス)に可能な限り近くなるように、各有機ＥＬ素子に流す電流値を最適化する」ことを比較する。
　はじめに、「信号」の意味について検討する。上記（４）で検討した本願発明の特定事項に「各光検出器が、対応するＥＬ画素の検出された輝度に基づいて、調整装置に信号を出力」するとあるから、「信号」は、光検出器が調整装置に出力する「信号」を意味している。
　引用発明において、「光センサ」が測定する「有機ＥＬ素子の輝度」が減少すると、光センサが生成する「受光した光量に比例する電流信号」が減少し、「光センサが受光した光量に比例して生成する電流信号としてもたらされる光度情報」が減少するから、「光度検出ユニット」が検出し「発光量調整装置」が入力する「光度情報」が減少する。
　そして、引用発明の「有機ＥＬ素子」、「光センサ」、「光度情報」は、それぞれ、本願発明の「ＥＬ画素」、「光検出器」、「信号」に相当し、上記（３−４）で検討したとおり、引用発明の「光度検出ユニット」と「発光量調整ユニット」を一体としたものは、本願発明の「調整装置」に相当するから、本願発明の「一つのＥＬ画素の検出された輝度が減少すると、信号が減少し、調整装置が、少なくとも別の一つのＥＬ画素への電流を低減」することと、引用発明の「光センサ」が「前記有機ＥＬ素子が発する光の一部を受光し、受光した光量に比例する電流信号を生成することで有機ＥＬ素子の輝度を測定」すること、「光度検出ユニット」が「前記有機ＥＬ素子に対応する光センサが受光した光量に比例して生成する電流信号としてもたらされる光度情報を検出する」こと、「発光量調整ユニット」が「前記光度検出ユニットが検出した光度情報を入力し、初期条件による発光表示装置の見え方(色バランスおよび輝度バランス)に可能な限り近くなるように、各有機ＥＬ素子に流す電流値を最適化する」ことは、「一つのＥＬ画素の検出された輝度が減少すると、信号が減少し、調整装置が、ＥＬ画素への電流を調整」する点で一致する。
　
（６）　本願発明の「信号は、トランジスタを介して、調整装置に入り、トランジスタは、検出走査線を介して、クロック信号によって制御される」ことと、引用発明の「前記光センサが受光した光量に比例して生成する電流信号としてもたらされる光度情報」が、「光センサスイッチングユニットにより制御され」る「トランジスタ」により「光度検出ユニットに出力」されることを比較する。
　本願発明の「信号」は、上記（６）で検討したとおり、光検出器が調整装置に出力する「信号」を意味している。そして、引用発明の「光センサ」、「光度情報」、「トランジスタ」は、それぞれ、本願発明の「光検出器」、「信号」、「トランジスタ」に相当し、また、上記（３−４）で検討したとおり、引用発明の「光度検出ユニット」と「発光量調整ユニット」を一体としたものは、本願発明の「調整装置」に相当する。
　してみると、、本願発明の「信号は、トランジスタを介して、調整装置に入り、トランジスタは、検出走査線を介して、クロック信号によって制御される」ことと、引用発明の「前記光センサが受光した光量に比例して生成する電流信号としてもたらされる光度情報」が、「光センサスイッチングユニットにより制御され」る「トランジスタ」により「光度検出ユニットに出力」されることは、「信号は、トランジスタを介して、調整装置に入る」点で一致する。
　
（７）本願発明の「ＥＬ装置」と、引用発明の「…有機ＥＬ素子…を有する、発光表示装置」を比較する。
　有機ＥＬ素子を有する発光表示装置は、ＥＬ装置であるから、引用発明の「…有機ＥＬ素子…を有する、発光表示装置」は、本願発明の「ＥＬ装置」に相当する。
　
　以上のことから、本願発明と引用発明は、
　
「各々が光を放出する複数のエレクトロルミネッセント（ＥＬ）画素と、
　各ＥＬ画素に対応させ、対応するＥＬ画素が放出した光の輝度を検出する光検出器と、
　ＥＬ画素の光検出器に動作可能なように接続し、一つのＥＬ画素の検出された輝度に基づいて、ＥＬ画素の輝度を調整する調整装置とを有し、
　前記調整装置が、一つのグループのＥＬ画素から放出された複数の光の所定の相対輝度を維持し、前記グループのＥＬ画素から放出された前記複数光から成る特定の色の光の所定の組のＣＩＥ色度座標を維持し、
　各光検出器が、対応するＥＬ画素の検出された輝度に基づいて、調整装置に信号を出力し、
　一つのＥＬ画素の検出された輝度が減少すると、信号が減少し、調整装置が、ＥＬ画素への電流を調整し、
　信号は、トランジスタを介して、調整装置に入るＥＬ装置。」
　
の点で一致し、以下の点で相違する。
　
相違点１：一つのグループのＥＬ画素から放出された複数の光の所定の相対輝度を維持し、前記グループのＥＬ画素から放出された前記複数光から成る特定の色の光の所定の組のＣＩＥ色度座標を維持する調整装置において、一つのＥＬ画素の検出された輝度に基づいて輝度を調整するＥＬ画素が、本願発明では、輝度を検出したＥＬ画素とは「少なくとも別の一つのＥＬ画素」であるのに対し、引用発明では、光度情報を検出した「前記各有機ＥＬ素子」であり、「一つのＥＬ画素の検出された輝度が減少」し「信号が減少し」た場合の輝度の調整が、本願発明では、「電流を低減」するのに対し、引用発明では、「電流値を最適化」する点。
　
相違点２：トランジスタの制御が、本願発明では、「検出走査線を介して、クロック信号によって制御される」のに対し、引用発明では、「光センサスイッチングユニットにより制御され」る点。
　
６　判断
　以下、上記相違点１、相違点２について判断する。
ア　相違点１
　赤、緑、青の有機ＥＬ素子で構成される有機ＥＬ表示装置において、色バランスを調整する際、一つの有機ＥＬ素子の検出された輝度に基づいて、別の有機ＥＬ素子の輝度を調整することは、原査定の拒絶の理由に引用された特開２００４−１０１７４７号公報（第４図参照。測定した赤の有機ＥＬ素子の最大輝度に基づいて、赤の有機ＥＬ素子とは別の緑、青の有機ＥＬ素子の電流（輝度）を調整している。赤の有機ＥＬ素子の最大輝度が減少し、緑と青の有機ＥＬ素子の最大輝度が減少しない場合、緑と青の有機ＥＬ素子の電流が減少する。また、寿命の短い色を基準にして調整することも【００７４】に記載されている。）あるいは、本願の優先日前の平成１７年１月２０日に日本国内において頒布された特開２００５−１７５２０号公報（従来の技術を説明する【０００５】には、輝度の劣化が大きい青色の劣化量に応じて、輝度の劣化が小さい赤色及び緑色の最大輝度を抑えることが記載されている。）に記載されるように、色バランスを調整する技術手段として周知である。
　引用発明は、光度情報を検出した有機ＥＬ素子の輝度を調整して色バランスを調整しているところ、色バランスを調整する方法として上記周知の技術手段を採用し、引用発明において、一つの有機ＥＬ素子の検出された輝度に基づいて、少なくとも別の一つの有機ＥＬ素子の輝度を調整するように為すとともに、光度情報を検出した一つの有機ＥＬ素子の輝度が減少した場合に、別の有機ＥＬ素子の輝度（有機ＥＬ素子の電流値）を低減するよう為し、上記相違点１に係る本願発明の発明特定事項と為すことは、当業者が容易に想到し得たことと認められる。
　
イ　相違点２
　有機ＥＬ表示装置において、有機ＥＬ素子の輝度信号をトランジスタを介して出力する際、該トランジスタを検出走査線を介して制御することは、例えば本願の優先日前の２００５年２月１７日に頒布された国際公開第２００５／０１５５３０号（図３のスイッチングＴＦＴ４５、読出制御ライン４８参照）に記載されるように周知の技術手段であり、前記トランジスタを制御する信号としてクロック信号を採用して周期的に出力することに困難性はない。したがって、引用発明におけるトランジスタの制御に上記周知の技術手段を採用するとともに、クロック信号によって前記トランジスタを制御するよう為し、上記相違点２に係る本願発明の発明特定事項と為すことに困難性はない。
　
　そして、本願発明が奏する作用効果は、引用発明と上記周知の技術手段に基いて当業者が予測しうる程度のものであって、格別の作用効果とは認められない。
　
７　むすび
　以上のとおり 、本願の請求項１に係る発明は、引用発明と周知の技術手段に基いて当業者が容易に発明をすることができたものであるから、特許法第２９条第２項の規定によって特許を受けることができないものである。
　そして、請求項１に係る発明が特許を受けることができないものであるから、その余の請求項に係る発明について論及するまでもなく、本願は、拒絶すべきものである。
　よって、上記結論のとおり審決する。